(57)【特許請求の範囲】
【請求項１】
通信ネットワークを介して他の通信機器と互いに通信することが可能な通信機器であって、
当該通信機器と前記他の通信機器との通信に関する通信設定値の入力を受け付ける入力受付手段であって、一の設定画面において、当該通信機器の通信設定値の入力を受け付けるとともに、前記他の通信機器の通信設定値の入力を受け付ける入力受付手段と、
当該通信機器に対して、入力された当該通信機器の通信設定値を設定するとともに、前記他の通信機器に対して、入力された前記他の通信機器の通信設定値を設定する設定手段と
を備えることを特徴とする通信機器。
【請求項２】
前記入力受付手段は、
前記一の設定画面において、当該通信機器の通信設定および前記他の通信機器の通信設定に共通する通信設定値の入力を受け付け、
前記設定手段は、
入力された前記共通する通信設定値を、当該通信機器および前記他の通信機器の各々に対して設定する
ことを特徴とする請求項１に記載の通信機器。
【請求項３】
前記共通する通信設定値は、少なくともＩＰアドレスのネットワークアドレス、ネットマスク、またはゲートウェイアドレスである
ことを特徴とする請求項２に記載の通信機器。
【請求項４】
入力された一または複数の通信設定値に基づいて、入力された他の通信設定値が正しいか否かを判断する判断手段と、
前記判断手段によって前記他の通信設定値が正しくないと判断された場合、その旨をユーザに通知する通知手段と
をさらに備えることを特徴とする請求項１から３のいずれか一項に記載の通信機器。
【請求項５】
入力された当該通信機器の通信設定値、および、入力された前記他の通信機器の通信設定値を使用して、前記他の通信機器との通信を試行する試行手段をさらに備え、
前記判断手段は、
前記通信の試行結果により、入力された当該通信機器の通信設定値、および、入力された前記他の通信機器の通信設定値が正しいか否かをさらに判断する
ことを特徴とする請求項４に記載の通信機器。
【請求項６】
入力された一または複数の通信設定値に基づいて、他の通信設定項目に入力されるべき通信設定値を決定する決定手段と、
前記他の通信設定項目に対して、決定された当該他の通信設定項目に入力されるべき通信設定値を自動的に入力する自動入力手段と
をさらに備えることを特徴とする請求項１から５のいずれか一項に記載の通信機器。
【請求項７】
通信設定値が自動的に入力された前記他の通信設定項目に対する手動入力を制限する手動入力制限手段
をさらに備えることを特徴とする請求項６に記載の通信機器。
【請求項８】
請求項１から７のいずれか１項に記載の通信機器を備えたことを特徴とするテレビジョン受像機。
【請求項９】
通信ネットワークを介して互いに通信することが可能な複数の通信機器を有する通信シ
ステムであって、
前記複数の通信機器のうちの少なくともいずれか一の通信機器は、
当該一の通信機器と他の通信機器との通信に関する通信設定値の入力を受け付ける入力受付手段であって、一の設定画面において、当該通信機器の通信設定値の入力を受け付けるとともに、他の通信機器の通信設定値の入力を受け付ける入力受付手段と、
当該通信機器に対して、入力された当該通信機器の通信設定値を設定するとともに、前記他の通信機器に対して、入力された前記他の通信機器の通信設定値を設定する設定手段と
を備えることを特徴とする通信システム。
【請求項１０】
通信ネットワークを介して他の通信機器と互いに通信することが可能な通信機器による通信設定方法であって、
当該通信機器と前記他の通信機器との通信に関する通信設定値の入力を受け付ける入力受付工程であって、一の設定画面において、当該通信機器の通信設定値の入力を受け付けるとともに、前記他の通信機器の通信設定値の入力を受け付ける入力受付工程と、
当該通信機器に対して、入力された当該通信機器の通信設定値を設定するとともに、前記他の通信機器に対して、入力された前記他の通信機器の通信設定値を設定する設定工程と
を含むことを特徴とする通信設定方法。
【請求項１１】
コンピュータを請求項１から７のいずれか一項に記載の通信機器として機能させるためのプログラムであって、前記コンピュータを前記通信機器が備える前記各手段として機能させるプログラム。
【請求項１２】
請求項１１に記載のプログラムを記録しているコンピュータ読み取り可能な記録媒体。
【発明の詳細な説明】
【技術分野】
【０００１】
本発明は、複数の通信機器に対する通信設定をおこなうことが可能な通信機器、テレビジョン受像機、通信システム、通信設定方法、プログラム、および記録媒体に関する。
【背景技術】
【０００２】
従来、ＤＨＣＰ（Dynamic Host Configuration Protocol）やＡｕｔｏＩＰ等によって動的に割り当てられたＩＰアドレスを、通信機器に対して自動的に設定する技術が広く利用されている。このように通信設定を自動的におこなう技術を利用することで、通信設定に係る設定者の手間や時間を軽減することが可能となる。そこで、これまで、通信設定を自動的におこなうことに関し、様々な技術が考案されている。
【０００３】
例えば、下記引用文献１には、他のデバイスのＩＰアドレスを取得しておき、ＤＨＣＰサーバから自身のＩＰアドレスを取得できない場合、他のデバイスのＩＰアドレスに基づいて仮のＩＰアドレスを生成し、生成した仮のＩＰアドレスが使用可能であると判断した場合には、当該仮のＩＰアドレスを自身のＩＰアドレスとして設定する技術が開示されている。
【０００４】
また、下記引用文献２には、ＤＨＣＰサーバから自動的に割り当てられたＩＰアドレスのネットワークアドレスを用いて、自身のＩＰアドレスを自動生成する技術が開示されている。
【０００５】
また、下記引用文献３には、仮のサブネットマスクを設定し、この仮のサブネットマスクに基づくネットワーク内にＡＲＰリクエストパケットを送信し、ゲートウェイがＡＲＰリプライパケットを返信したと判定したときには、その直前に設定した仮サブネットマスクを新規接続機器に設定する技術が開示されている。
【０００６】
また、下記引用文献４には、第１のルータに割り当てられたネットワークアドレスと、第２のルータに割り当てられたネットワークアドレスとが一致する場合、第２のルータに割り当てられたネットワークアドレスおよびＩＰアドレスを変更する技術が開示されている。
【先行技術文献】
【特許文献】
【０００７】
【特許文献１】特開２０１０−２３９２８１号公報（２０１０年１０月２１日公開）
【特許文献２】特開２００８−０７８９９０号公報（２００８年４月３日公開）
【特許文献３】特開２００５−２３６９４３号公報（２００５年９月２日公開）
【特許文献４】特開２００５−１９７７９３号公報（２００５年７月２１日公開）
【発明の概要】
【発明が解決しようとする課題】
【０００８】
ここで、ネットワーク上において、複数の通信機器がネットワークを介して互いに通信をおこなうためには、複数の通信機器の各々に対して、ＩＰアドレス等の通信設定をおこなう必要がある。
【０００９】
この通信設定方法としては、上述したＤＨＣＰやＡｕｔｏＩＰにより自動的に設定する方法もあるが、通信機器が通信設定を自動的に設定できない環境にある場合や、通信設定を自動的に設定することをユーザが望まない場合がある。例えば、通信設定を自動的に設定する方法を採用した場合、通信設定を自動的に取得するために比較的長い時間を要し、また、通信設定を自動的に割り当てるルータの故障などにより、通信設定を自動的に取得できない等の不具合が生じる場合もある。このため、ユーザによっては、通信設定を自動的に設定する方法を採用せず、通信設定を手作業で設定する方法を採用する場合がある。
【００１０】
この場合、ユーザは、各々の通信機器に対し、その通信機器に応じて通信設定用のユーザインターフェース（例えば、通信設定画面等）を利用して、手作業で通信設定をおこなう必要がある。したがって、ユーザは、複数のユーザインターフェースの各々の操作方法を理解したうえで、これら複数のユーザインターフェースを操作しなければならない。
【００１１】
特に、通信機器の中には、通信設定用のユーザインターフェースを備えていないものも存在し、このような通信機器に対しては、通信設定用のユーザインターフェースを備える装置を別途用意し、この装置から、やはり手作業で通信設定をおこなう必要がある。
【００１２】
このように、複数の通信機器に対する通信設定を手作業でおこなうためには、手間、時間、コストをかけて、複数の通信機器に対応する複数のユーザインターフェースを操作しなければならない。
【００１３】
本発明は、上記の問題に鑑みてなされたものであり、その目的は、効率的かつ適確に、複数の通信機器に対して通信設定をおこなうことにある。
【課題を解決するための手段】
【００１４】
上記した課題を解決するため、本発明に係る通信機器は、通信ネットワークを介して他の通信機器と互いに通信することが可能な通信機器であって、一の設定画面において、当該通信機器の通信設定値の入力を受け付けるとともに、他の通信機器の通信設定値の入力を受け付ける入力受付手段と、当該通信機器に対して、入力された当該通信機器の通信設定値を設定するとともに、前記他の通信機器に対して、入力された前記他の通信機器の通信設定値を設定する設定手段とを備えることを特徴とする。
【００１５】
本発明によれば、一の通信機器から、当該一の通信機器を含む複数の通信機器の通信設定をおこなうことができる。したがって、ユーザは、複数の通信機器や、複数のユーザインターフェースを操作する必要がないため、手間や時間をかけることなく、複数の通信機器に対して通信設定をおこなうことができる。特に、他の通信機器がユーザインターフェースを有していない場合であっても、その通信機器の通信設定をおこなうための装置を別途用意したり操作したりする必要がないため、手間、時間、コストをかけることなく、複数の通信機器に対して通信設定をおこなうことができる。また、複数の通信機器に対して、通信設定の変更を一括しておこなうことができるので、例えば、ある通信機器の通信設定のみが変更されてしまい、通信機器同士が互いに通信することができなくなる、というような問題が発生することもない。
【００１６】
特に、本発明によれば、一の設定画面から、複数の通信機器の通信設定をおこなうことができるので、複数の通信機器の通信設定を一目で判断することができる。例えばユーザは、複数の通信設定において、互いに同一としなければならない設定値（例えば、ネットワークアドレス）や、互いに同一としてはならない設定値（例えば、ホストアドレス）等の、複数の通信設定値同士を比較しながら、適切な値を入力しなければならない場合がある。この場合であっても、ユーザは、このような比較を、複数の画面を切り替えたりメモをとっておいたりする等、手間や時間がかかり、かつミスが発生しやすい作業をおこなうことなく、容易におこなうことができる。
【００１７】
上記通信機器において、前記入力受付手段は、前記一の設定画面において、当該通信機器の通信設定および前記他の通信機器の通信設定に共通する通信設定値の入力を受け付け、前記設定手段は、入力された前記共通する通信設定値を、当該通信機器および前記他の通信機器の各々に対して設定することが好ましい。
【００１８】
この構成によれば、共通する通信設定値をユーザが複数回入力する手間を省くことができるうえ、共通であるべき通信設定値が複数の通信機器で互いに異なるといった設定ミスが生じることもない。
【００１９】
上記通信機器において、前記共通する通信設定値は、少なくともＩＰアドレスのネットワークアドレス、ネットマスク、またはゲートウェイアドレスであることが好ましい。
【００２０】
特に、ＩＰアドレスのネットワークアドレス、ネットマスク、およびゲートウェイアドレスは、複数の通信機器に共通する重要な通信設定でありながら、入力に手間がかかるうえに、入力ミスが生じ易い通信設定である。この構成によれば、このような通信設定についても、ユーザの手間を省きつつ、設定ミスを排除することができる。
【００２１】
なお、前記共通する通信設定値は、上記に限らず、ＤＮＳサーバのアドレス等であってもよい。
【００２２】
また、上記通信機器において、入力された一または複数の通信設定値に基づいて、入力された他の通信設定値が正しいか否かを判断する判断手段と、前記判断手段によって前記他の通信設定値が正しくないと判断された場合、その旨をユーザに通知する通知手段とをさらに備えることが好ましい
一または複数の通信設定値に基づいて、他の通信設定値がある範囲内に制限される場合がある。この構成によれば、他の通信設定値として範囲外の値が誤って入力された場合でも、通信接続の試行をするまでもなく、直ちにその誤りを通知することで、入力された通信設定値の修正をユーザに促すことができる。
【００２３】
また、上記通信機器において、入力された当該通信機器の通信設定値、および、入力された前記他の通信機器の通信設定値を使用して、前記他の通信機器との通信を試行する試行手段をさらに備え、前記判断手段は、前記通信の試行結果により、入力された当該通信機器の通信設定値、および、入力された前記他の通信機器の通信設定値が正しいか否かをさらに判断することが好ましい。
【００２４】
この構成によれば、入力された通信設定値が正しいか否かを、実際に通信接続の試行をしなければ判断できない場合であっても、通信の試行により判断することができる。そして、入力された通信設定値が誤っていると判断した場合は、直ちにその誤りを通知することで、入力された通信設定値の修正をユーザに促すことができる。
【００２５】
また、上記通信機器において、入力された一または複数の通信設定値に基づいて、他の通信設定項目に入力されるべき通信設定値を決定する決定手段と、前記他の通信設定項目に対して、決定された当該他の通信設定項目に入力されるべき通信設定値を自動的に入力する自動入力手段とをさらに備えることが好ましい。
【００２６】
一または複数の通信設定値に基づいて、他の通信設定項目に入力されるべき通信設定値が決まる場合がある。この構成によれば、他の通信設定項目に入力されるべき通信設定値を自動的に決定し、さらに、他の通信設定項目に対してこの通信設定値を自動的に入力することができる。これにより、ユーザの手間や入力ミスの発生を大幅に軽減することができる。
【００２７】
また、上記通信機器において、通信設定値が自動的に入力された前記他の通信設定項目に対する手動入力を制限する手動入力制限手段をさらに備えることが好ましい。
【００２８】
この構成によれば、自動的に入力された通信設定値を誤って書き換えてしまうといった、ユーザによる入力ミスを確実に無くすことができる。自動的に入力された通信設定項目を制限することは、手動で入力すればよい通信設定項目を、ユーザに示すということにもなる。したがって、ユーザは、迷うことなく、手動で入力すればよい通信設定項目を容易に判断することができる。
【００２９】
また、本発明に係るテレビジョン受像機は、上記通信機器を備えたことを特徴とする。
【００３０】
本発明によれば、テレビジョン受像機により、上記通信機器と同様の効果を奏することができる。
【００３１】
また、本発明に係る通信システムは、通信ネットワークを介して互いに通信することが可能な複数の通信機器を有する通信システムであって、前記複数の通信機器のうちの少なくともいずれか一の通信機器は、一の設定画面において、当該通信機器の通信設定値の入力を受け付けるとともに、他の通信機器の通信設定値の入力を受け付ける入力受付手段と、当該通信機器に対して、入力された当該通信機器の通信設定値を設定するとともに、前記他の通信機器に対して、入力された前記他の通信機器の通信設定値を設定する設定手段とを備えることを特徴とする。
【００３２】
本発明によれば、上記通信機器と同様の効果を奏することができる。
【００３３】
また、本発明に係る通信設定方法は、通信ネットワークを介して他の通信機器と互いに通信することが可能な通信機器による通信設定方法であって、一の設定画面において、当該通信機器の通信設定値の入力を受け付けるとともに、他の通信機器の通信設定値の入力を受け付ける入力受付工程と、当該通信機器に対して、入力された当該通信機器の通信設定値を設定するとともに、前記他の通信機器に対して、入力された前記他の通信機器の通信設定値を設定する設定工程とを含むことを特徴とする。
【００３４】
本発明によれば、当該通信設定方法を通信機器が実行することにより、上記通信機器と同様の効果を奏することができる。
【００３５】
また、本発明に係るプログラムは、コンピュータを上記通信機器として機能させるためのプログラムであって、前記コンピュータを前記通信機器が備える前記各手段として機能させるプログラムである。
【００３６】
本発明によれば、コンピュータが当該プログラムを実行することにより、上記通信機器と同様の効果を奏することができる。
【００３７】
また、本発明に係る記録媒体は、上記プログラムを記録しているコンピュータ読み取り可能な記録媒体である。
【００３８】
本発明によれば、上記通信機器と同様の効果を奏することができる上記プログラムを当該記録媒体により提供することができる。
【発明の効果】
【００３９】
本発明に係る通信機器、テレビジョン受像機、通信システム、通信設定方法、プログラム、および記録媒体によれば、一の通信機器から、当該一の通信機器を含む複数の通信機器に対して、通信設定をおこなうことができる。これにより、ユーザは、複数の通信機器の通信設定をおこなうために複数の機器を操作する必要がないため、手間や時間をかけることなく、複数の通信機器に対して通信設定をおこなうことができる。
【図面の簡単な説明】
【００４０】
【図１】実施形態１に係るテレビジョン受像機の装置構成を示す図である。
【図２】実施形態１に係るモニタの構成を示すブロック図である。
【図３】実施形態１に係るＳＴＢの構成を示すブロック図である。
【図４】実施形態１に係るモニタの制御回路が備える通信設定に関する機能の構成を示すブロック図である。
【図５】実施形態１に係るテレビジョン受像機における通信設定処理の手順を示すシーケンス図である。
【図６】複数の通信設定値を入力するための設定画面の一例を示す図である。
【図７】複数の通信設定値の入力例を示す図である。
【図８】複数の通信設定値の入力例を示す図である。
【図９】複数の通信設定値が正しくないことを通知するためのエラーメッセージの一例を示す図である。
【図１０】入力された通信設定値が正しくない部分を通知する方法の一例を示す図である。
【図１１】実施形態２に係るモニタの制御回路が備える通信設定に関する機能の構成を示すブロック図である。
【図１２】実施形態３に係るモニタの制御回路が備える通信設定に関する機能の構成を示すブロック図である。
【図１３】通信設定値の自動入力例を示す図である。
【図１４】通信設定値の自動入力例を示す図である。
【図１５】通信設定値の自動入力例を示す図である。
【発明を実施するための形態】
【００４１】
以下、本発明の実施形態について、図面を用いて説明する。
【００４２】
（実施形態１）
（テレビジョン受像機１００の概要）
まず、図１を参照して、実施形態１に係るテレビジョン受像機１００の概要について説明する。図１は、実施形態１に係るテレビジョン受像機１００の装置構成を示す図である。図１に示すテレビジョン受像機１００は、地上デジタル放送の放送波またはＢＳ／ＣＳデジタル放送の放送波として送信された各種コンテンツを、対応するチューナ（地上デジタルチューナまたはＢＳ／ＣＳデジタルチューナ）によって受信し、このコンテンツを再生することができる。
【００４３】
このテレビジョン受像機１００は、モニタ１１０およびＳＴＢ（セットトップボックス）１２０を、通信機器として備えている。ＳＴＢ１２０およびモニタ１１０は、ＬＡＮ１０に接続されており、ＬＡＮ１０を介して互いに通信することが可能となっている。
【００４４】
ＳＴＢ１２０およびモニタ１１０は互いが同一ネットワーク（互いに直接通信できる範囲）に接続されていることを前提として、ブロードキャストもしくはマルチキャストベースのプロトコルにより探索を行い、互いを発見し通信を行う。
【００４５】
ＳＴＢ１２０には、地上デジタル放送およびＢＳ放送を受信するチューナが内蔵されている。ＳＴＢ１２０は、ＤＴＶ／ＢＳアンテナ１６によって受信されたコンテンツを、このチューナを用いて取得する。そして、ＳＴＢ１２０は、取得したコンテンツを、ＬＡＮ１０を介して、モニタ１１０に送信する。そして、モニタ１１０は、得られたコンテンツをディスプレイに表示する。
【００４６】
実施形態１においては、モニタ１１０として、液晶ディスプレイを採用しているが、これ以外にも、有機ＥＬディスプレイ、プラズマディスプレイ、ブラウン管ディスプレイ等が採用され得る。
【００４７】
ＳＴＢ１２０およびモニタ１１０には、外部機器を接続することができる。例えば、ＳＴＢ１２０は、ＵＳＢ−ＨＤＤを接続することができる。そして、ＳＴＢ１２０は、ＵＳＢ−ＨＤＤにコンテンツを録画したり、ＵＳＢ−ＨＤＤに録画したコンテンツをモニタ１１０に送信して表示させたりすることができる。同様に、モニタ１１０は、レコーダ／プレーヤを接続することができる。そして、モニタ１１０は、レコーダ／プレーヤによって再生されたコンテンツを表示したりすることができる。
【００４８】
ＬＡＮ１０は、ルータ１２を介して、インターネット１４に接続されている。これにより、ＳＴＢ１２０およびモニタ１１０は、ＬＡＮ１０を介してインターネット１４にアクセスすることが可能となっている。例えば、ＳＴＢ１２０およびモニタ１１０は、インターネット１４からコンテンツをダウンロードして再生したり、インターネット１４からテレビ番組情報等の各種情報を取得して表示したり、インターネット１４に対して懸賞の応募情報等の各種情報を送信したりすることができる。
【００４９】
なお、実施形態１のＳＴＢ１２０およびモニタ１１０は、ＬＡＮケーブルによってＬＡＮ１０に有線接続されているが、少なくともいずれか一方の通信機器を、無線アクセスポイントを介して、ＬＡＮ１０に無線接続させることも可能である。この場合、無線アクセスポイントとの無線通信が可能なエリア内の任意の場所に、その通信機器を設置することが可能になる。無線アクセスポイントとの無線通信に好適な通信規格としては、例えば、ＩＥＥＥ８０２．１１シリーズなどが挙げられる。
【００５０】
また、ＳＴＢ１２０およびモニタ１１０は、ＬＡＮ１０を介さずに、他の無線通信または有線通信を介して、直接的に互いに通信することも可能である。ユーザは、ＳＴＢ１２０およびモニタ１１０との間の通信接続形態として、ＬＡＮ１０を介した接続形態を選択することもできるし、ＬＡＮ１０を介さない直接的な接続形態を選択することもできる。後者の場合、ＳＴＢ１２０は、ＬＡＮ１０に接続されていてもよく、ＬＡＮ１０の無線アクセスポイントとして機能してもよい。これにより、例えば、モニタ１１０は、ＳＴＢ１２０を介してＬＡＮ１０やインターネットにアクセスすることができる。
【００５１】
（モニタ１１０の構成）
ここで、図２を参照して、モニタ１１０の構成について説明する。図２は、実施形態１に係るモニタ１１０の構成を示すブロック図である。
【００５２】
図２に示すように、モニタ１１０は、ＬＡＮモジュール２１２、ＤＲＭ復号部２１４、制御回路２４０、パネルコントローラ２１８、ディスプレイ２１９、ＨＤＭＩトランシーバ／レシーバ２１６、インジケータ２２０、電源部２２４、リモコン２５０、リモコン受光部２５２、および操作ボタン２６０を備えている。
【００５３】
ＬＡＮモジュール２１２は、ＬＡＮ通信のための通信インターフェースである。例えば、ＬＡＮモジュール２１２は、ＳＴＢ１２０から送信された、コンテンツの暗号化データを受信する。ＬＡＮモジュール２１２によって受信された暗号化データは、ＤＲＭ復号部２１４に供給される。ＤＲＭ復号部２１４は、供給された暗号化データを復号することによって映像信号を得る。ＤＲＭ復号部２１４によって得られた映像信号は、パネルコントローラ２１８に供給される。パネルコントローラ２１８は、供給された映像信号に基づいて、当該映像信号に応じた映像をディスプレイ２１９に表示させる。
【００５４】
ＨＤＭＩトランスミッタ／レシーバ２１６は、レコーダ、プレーヤなどの外部機器との通信を実現するための通信インターフェースである。
【００５５】
例えば、ＨＤＭＩトランスミッタ／レシーバ２１６は、外部機器によって再生されたコンテンツの映像信号をその外部機器から受信する。ＨＤＭＩトランスミッタ／レシーバ２１６によって得られた映像信号は、ＳＴＢ１２０から受信したコンテンツの映像信号と同様に、パネルコントローラ２１８に供給される。これにより、その映像信号に応じた映像がディスプレイ２１９の表示パネルに表示される。
【００５６】
電源部２２４は、モニタ１１０の各部に対し、その動作に必要な電力を供給する。
【００５７】
インジケータ２２０は、制御回路２４０の制御により点灯することにより、モニタ１１０の状態等をユーザに通知するためのものである。
【００５８】
リモコン２５０は、モニタ１１０の本体とは別体に設けられており、モニタ１１０に対して各種遠隔操作をおこなうためのものである。
【００５９】
リモコン受光部２５２は、リモコン２５０により発せられた赤外光を受光することにより、リモコン２５０による遠隔操作を受け付けるためのものである。
【００６０】
操作ボタン２６０は、モニタ１１０の本体に設けられており、モニタ１１０に対する各種操作をおこなうためのものである。
【００６１】
例えば、ユーザは、リモコン２５０または操作ボタン２６０を操作することによって、テレビジョン受像機１００に対して、電源のＯＮ／ＯＦＦ、音量調整、入力切り替え、選局、各種設定、録画、再生等の操作をおこなうことができる。
【００６２】
制御回路２４０は、ＣＰＵ、ＲＯＭ、ＲＡＭ等によって構成されており、ＲＯＭ、ＲＡＭ等に記録されているプログラムをＣＰＵが実行することにより、モニタ１１０の各部を制御する。
【００６３】
（ＳＴＢ１２０の構成）
続いて、図３を参照して、ＳＴＢ１２０の構成について説明する。図３は、実施形態１に係るＳＴＢ１２０の構成を示すブロック図である。
【００６４】
図３に示すように、ＳＴＢ１２０は、チューナ３０２、デモジュレータ３０４、デマルチプレクサ３０６、制御回路３４０、ＤＲＭ暗号化部３０８、ＬＡＮモジュール３１０、インジケータ３２０、電源部３２４、および操作ボタン３５０を備えている。
【００６５】
チューナ３０２は、デジタルテレビ放送の放送波またはＢＳデジタル放送の放送波をＤＴＶ／ＢＳアンテナ１６から受信する。チューナ３０２によって受信された映像データは、デモジュレータ３０４に供給される。
【００６６】
デモジュレータ３０４は、映像データを復調する。デモジュレータ３０４によって復調された映像データは、デマルチプレクサ３０６に供給される。デマルチプレクサ３０６は、映像データから映像信号を分離する。デマルチプレクサ３０６によって分離された映像信号は、ＤＲＭ暗号化部３０８へ供給される。ＤＲＭ暗号化部３０８は、供給された映像信号を暗号化することによって暗号化データを得る。ＤＲＭ暗号化部３０８によって得られた暗号化データは、ＬＡＮモジュール３１０に供給される。ＬＡＮモジュール３１０は、ＬＡＮ通信のための通信インターフェースである。ＬＡＮモジュール３１０は、供給された暗号化データをモニタ１１０に送信する。
【００６７】
電源部３２４は、ＳＴＢ１２０の各部に対し、その動作に必要な電力を供給する。
【００６８】
インジケータ３２０は、制御回路３４０の制御によって点灯することにより。ＳＴＢ１２０の状態等をユーザに通知するためのものである。
【００６９】
操作ボタン３５０は、ＳＴＢ１２０の本体に設けられており、ＳＴＢ１２０に対する各種操作をおこなうためのものである。
【００７０】
例えば、ユーザは、この操作ボタン３５０を操作することによって、ＳＴＢ１２０に対して、電源のＯＮ／ＯＦＦ等の操作をおこなうことができる。
【００７１】
制御回路３４０は、ＣＰＵ、ＲＯＭ、ＲＡＭ等によって構成されており、ＲＯＭ、ＲＡＭ等に記録されているプログラムをＣＰＵが実行することにより、ＳＴＢ１２０の各部を制御する。
【００７２】
（通信設定）
ここで、ＳＴＢ１２０およびモニタ１１０がＬＡＮ１０を介して互いに通信するためには、ＳＴＢ１２０およびモニタ１１０の各々に対し、通信設定をおこなう必要がある。本実施形態のテレビジョン受像機１００は、ＳＴＢ１２０およびモニタ１１０の各々の通信設定を、モニタ１１０から一括しておこなうことが可能となっている。以下、モニタ１１０による通信設定の設定方法について具体的に説明する。
【００７３】
（通信設定機能）
まず、図４を参照して、モニタ１１０の制御回路２４０が備える通信設定に関する機能について説明する。図４は、実施形態１に係るモニタ１１０の制御回路２４０が備える通信設定に関する機能の構成を示すブロック図である。図４に示すように、制御回路２４０は、通信設定に関する機能として、入力受付部４０２、判断部４０４、通知部４０６、設定部４０８、および自動取得部４２０を備えている。
【００７４】
（入力受付部）
入力受付部４０２は、一の設定画面において、ＳＴＢ１２０およびモニタ１１０の各々の通信設定値の入力を受け付ける。具体的には、入力受付部４０２は、上記通信設定値を設定するための設定画面をディスプレイ２１９に表示する。ユーザは、リモコン２５０を操作することにより、この設定画面に対して上記通信設定値を入力する。
【００７５】
（判断部）
判断部４０４は、入力された複数の通信設定値が正しいか否かを判断する。具体的には、上記複数の通信設定値は、互いに相関関係を有している。判断部４０４は、入力された複数の通信設定値が、互いにこの相関関係を満たしていか否かを判断することにより、各通信設定値が正しいか否かを判断する。
【００７６】
例えば、本実施形態の例では、上記複数の通信設定値には、ＳＴＢ１２０およびモニタ１１０の各々のＩＰアドレス、ネットマスク、およびゲートウェイが含まれている。このうち、ＳＴＢ１２０のＩＰアドレスは、ＳＴＢ１２０に設定されるものである。また、モニタ１１０のＩＰアドレスは、モニタ１１０に設定されるものである。そして、ネットマスクおよびゲートウェイは、ＳＴＢ１２０およびモニタ１１０の各々に設定されるものである。
【００７７】
ここで、ネットマスクとは、ＩＰアドレスのうちのネットワークアドレスの部分を定めることにより、ＬＡＮ１０内で直接通信できるＩＰアドレスの範囲を定めるものである。
【００７８】
すなわち、ＳＴＢ１２０およびモニタ１１０の各々のＩＰアドレスは、ネットマスクによって定められたＩＰアドレスの範囲内であり、かつ互いに異なっていなければならない。
【００７９】
そのため、ＳＴＢ１２０およびモニタ１１０の各々のＩＰアドレスは、（１）ネットワークアドレスが互いに同一であり、かつ（２）ホストアドレスが互いに異なっていなければならない。
【００８０】
そこで、判断部４０４は、ＳＴＢ１２０およびモニタ１１０の各々のＩＰアドレスが、上記（１），（２）の全てを満たしているか否かを判断することによって、これらのＩＰアドレスが正しいか否かを判断する。例えば、判断部４０４は、ＳＴＢ１２０およびモニタ１１０の各々のＩＰアドレスが、上記（１），（２）の全てを満たしている場合には、これらのＩＰアドレスが正しいと判断し、ＳＴＢ１２０およびモニタ１１０の各々のＩＰアドレスが、上記（１），（２）のいずれかが満たされていない場合には、これらのＩＰアドレスが正しくないと判断する。
【００８１】
（通知部）
通知部４０６は、入力された通信設定値が正しくないと判断部４０４によって判断された場合、その旨をユーザに通知するための構成である。
【００８２】
例えば、通知部４０６は、入力された通信設定値が正しくない旨のメッセージをディスプレイ２１９に表示する。または、通知部４０６は、設定画面上において、入力された通信設定値が正しくない部分を強調表示する。
【００８３】
（設定部）
設定部４０８は、ＳＴＢ１２０およびモニタ１１０の各々に対して、入力された複数の通信設定値のうちの、対応する通信設定値を設定する。
【００８４】
具体的には、設定部４０８は、ＳＴＢ１２０が備える通信設定テーブルに対しては、ネットマスクおよびゲートウェイを設定するとともに、自装置のＩＰアドレスとして、ＳＴＢ１２０のＩＰアドレスを設定し、通信相手先のＩＰアドレスとして、モニタ１１０のＩＰアドレスを設定する。
【００８５】
一方、設定部４０８は、モニタ１１０が備える通信設定テーブルに対しては、ネットマスクおよびゲートウェイを設定するとともに、自装置のＩＰアドレスとして、モニタ１１０のＩＰアドレスを設定し、通信相手先のＩＰアドレスとして、ＳＴＢ１２０のＩＰアドレスを設定する。
【００８６】
これにより、ＳＴＢ１２０およびモニタ１１０は、ＬＡＮ１０を介して互いに通信をおこなうことが可能となる。
【００８７】
（自動取得部）
自動取得部４２０は、複数の通信設定値の少なくとも一部を、自動的に取得する。本実施形態の例では、デフォルト設定としてＳＴＢ１２０およびモニタ１１０に自動的に取得する設定がなされている。また、ユーザは、ＳＴＢ１２０およびモニタ１１０の各々ＩＰアドレスを自動的に取得するか否かを選択することができる。自動的に取得する設定となっている場合、自動取得部４２０は、ＤＨＣＰやＡｕｔｏＩＰ等により、当該モニタ１１０のＩＰアドレスを自動的に取得する。この場合、設定部４０８は、自動的に取得されたＩＰアドレスを、モニタ１１０が備える通信設定テーブルに対して、自装置のＩＰアドレスとして設定する。
【００８８】
また、ユーザによって自動的に取得することが選択された場合、自動取得部４２０は、その旨をＳＴＢ１２０に設定する。デフォルト設定によるか、ユーザによってこの設定がなされたＳＴＢ１２０は、ＤＨＣＰやＡｕｔｏＩＰ等により、当該ＳＴＢ１２０のＩＰアドレスを自動的に取得し、取得したＩＰアドレスを、当該ＳＴＢ１２０が備える通信設定テーブルに対して、自装置のＩＰアドレスとして設定する。
【００８９】
ＳＴＢ１２０およびモニタ１１０は自身の設定が行われた後、あらかじめ定めたプロトコルに基づき検索をおこない、発見したアドレスを自身が備える通信設定テーブルに対して、通信相手先のＩＰアドレスとして設定する。
【００９０】
（通信設定処理の手順）
次に、図５を参照して、テレビジョン受像機１００における通信設定処理の手順について説明する。図５は、実施形態１に係るテレビジョン受像機１００における通信設定処理の手順を示すシーケンス図である。
【００９１】
この通信設定処理は、ＳＴＢ１２０およびモニタ１１０を新たに互いに通信接続させる場合や、通信接続の経路をＬＡＮ１０に切り替える場合、既になされているＬＡＮ１０の通信設定をし直す場合等に実行される。いずれにしても、テレビジョン受像機１００は、予め定められたタイミングで通信設定処理を実行してもよく、ユーザが指定した任意のタイミングで通信設定処理を実行してもよい。
【００９２】
（仮接続）
まず、モニタ１１０は、自動取得部４２０により、ＤＨＣＰやＡｕｔｏＩＰ等により、ＳＴＢ１２０との通信をおこなうための一時的なＩＰアドレスを取得し（ステップＳ５０２）、取得されたＩＰアドレスを使用して、ＬＡＮ１０に仮接続する（ステップＳ５０４）。
【００９３】
同様に、ＳＴＢ１２０は、ＤＨＣＰやＡｕｔｏＩＰ等により、モニタ１１０との通信をおこなうための一時的なＩＰアドレスを取得し（ステップＳ５０６）、取得されたＩＰアドレスを使用して、ＬＡＮ１０に仮接続する（ステップＳ５０８）。
【００９４】
そして、ＳＴＢ１２０およびモニタ１１０は、ＬＡＮ１０に対して、例えばペアリング処理等によって事前に得られた各々のＭＡＣアドレス等を用いて、通信相手を検索したり、この検索に対して応答したりすることにより、互いに通信相手として認識しあう（ステップＳ５１０，５１２）。
【００９５】
もちろん、モニタ１１０およびＳＴＢ１２０が既にＬＡＮ１０に接続され、互いに通信相手として認識しあっている場合は、これらの処理をおこなわなくても良い。
【００９６】
本実施形態の例ではデフォルト設定として自動取得の設定を行うようにしておき、この状態で問題なければ設定の変更をしなくてもそのまま常用してもよい。また、仮接続の方法としては自動設定ではなく、他の機器をＬＡＮ１０へ接続しないなどの制約をかけて、あらかじめ定めた特定の固定アドレスを設定することで実現してもよい。
【００９７】
（通信設定）
続いて、モニタ１１０は、入力受付部４０２により、ＳＴＢ１２０およびモニタ１１０の各々の通信設定値の入力を受け付ける（ステップＳ５２０）。そして、モニタ１１０は、判断部４０４により、ステップＳ５２０で入力された複数の通信設定値が正しいか否かを判断する（ステップＳ５２２）。
【００９８】
ステップＳ５２２において、入力された複数の通信設定値が正しくないと判断した場合（ステップＳ５２２：Ｎｏ）、モニタ１１０は、通知部４０６によって、入力された通信設定値が正しくない旨を示すエラーメッセージを通知し（ステップＳ５２４）、ステップＳ５２０に戻って、再度、通信設定値の入力を受け付ける。
【００９９】
一方、ステップＳ５２２において、入力された複数の通信設定値が正しいと判断した場合（ステップＳ５２２：Ｙｅｓ）、モニタ１１０は、設定部４０８により、ＳＴＢ１２０に対して対応する通信設定値を送信する（ステップＳ５２６）。
【０１００】
この通信設定値を受信したＳＴＢ１２０は、一旦ＬＡＮ１０から切断し（ステップＳ５３０）、この通信設定値をＬＡＮ１０に関する通信設定項目に設定し（ステップＳ５３２）、この通信設定値を利用してＬＡＮ１０に再接続する（ステップＳ５３４）。
【０１０１】
同様に、モニタ１１０は、一旦ＬＡＮ１０から切断し（ステップＳ５４０）、入力された通信設定値をＬＡＮ１０に関する通信設定項目に設定し（ステップＳ５４２）、この通信設定値を利用してＬＡＮ１０に再接続する（ステップＳ５４４）。
【０１０２】
（設定画面の一例）
図６は、複数の通信設定値を入力するための設定画面の一例を示す図である。図６に示す画面６００は、複数の通信設定値を入力するための設定画面である。この画面６００は、入力受付部４０２がＳＴＢ１２０およびモニタ１１０の各々の通信設定値の入力を受け付ける際に、モニタ１１０のディスプレイ２１９に表示される。
【０１０３】
図６に示すように、画面６００は、選択欄６１０、入力欄６２０、入力欄６３０、入力欄６４０を有している。
【０１０４】
選択欄６１０は、ＳＴＢ１２０およびモニタ１１０の各々のＩＰアドレスを自動取得するか否かを選択するために設けられている。入力欄６２０は、モニタ１１０のＩＰアドレスを入力するために設けられている。入力欄６３０は、ＳＴＢ１２０のＩＰアドレスを入力するために設けられている。
【０１０５】
そして、入力欄６３０は、ＳＴＢ１２０およびモニタ１１０に共通する通信設定項目である、ネットマスクおよびゲートウェイルータのＩＰアドレスを入力するために設けられている。なお、ゲートウェイルータのＩＰアドレスの入力は、ＬＡＮ１０にゲートウェイルータが設けられている場合のみ入力すればよい。本実施形態のＬＡＮ１０には、ゲートウェイルータが設けられていないこととする。
【０１０６】
（通信設定値の入力例およびエラーメッセージの一例）
図７および図８は、複数の通信設定値の入力例を示す図である。図９は、複数の通信設定値が正しくないことを通知するためのエラーメッセージの一例を示す図である。
【０１０７】
図７および図８に示す例では、図６で説明した画面６００に対して、複数の通信設定値が入力されている。
【０１０８】
例えば、図７の例では、選択欄６１０において、ＩＰアドレスを自動取得しないための「いいえ」ボタンが選択されている。また、入力欄６２０においては、モニタ１１０のＩＰアドレスとして、「１９２．１６８．０．１０」が入力されている。また、入力欄６３０においては、ＳＴＢ１２０のＩＰアドレスとして、「１９２．１６８．０．１１」が入力されている。また、入力欄６４０においては、モニタ１１０およびＳＴＢ１２０に共通するネットマスクとして、「２５５．２５５．２５５．０」が入力されている。
【０１０９】
一方、図８の例では、選択欄６１０において、ＩＰアドレスを自動取得しないための「いいえ」ボタンが選択されている。また、入力欄６２０においては、モニタ１１０のＩＰアドレスとして、「１９２．１６８．０．１０」が入力されている。また、入力欄６３０においては、ＳＴＢ１２０のＩＰアドレスとして、「１９２．１６８．１．１１」が入力されている。また、入力欄６４０においては、モニタ１１０およびＳＴＢ１２０に共通するネットマスクとして、「２５５．２５５．２５５．０」が入力されている。
【０１１０】
このように、複数の通信設定値が入力されると、モニタ１１０の判断部４０４は、直ちに、または、画面６００に設けられた「次へ」ボタンが押下されたタイミングで、これら複数の通信設定値が正しいか否かを判断する。
【０１１１】
例えば、図７の例では、判断部４０４は、ネットマスクの設定から、ＩＰアドレスの上位２４ビットがネットワークアドレスになると判断する。そして、判断部４０４は、モニタ１１０のＩＰアドレスのネットワークアドレスと、ＳＴＢ１２０のＩＰアドレスのネットワークアドレスとが同じ「１９２．１６８．０」であることから、これらのＩＰアドレスの設定が正しいと判断する。
【０１１２】
この場合、モニタ１１０は、複数の通信設定値が正しくないことを示すエラーメッセージを通知することなく、これら複数の通信設定値を、モニタ１１０およびＳＴＢ１２０へ反映する。
【０１１３】
一方、図８の例では、判断部４０４は、ネットマスクの設定から、ＩＰアドレスの上位２４ビットがネットワークアドレス（ＩＰアドレスのネットワーク部）になり、残りの８ビットがホストアドレス（ＩＰアドレスのホスト部）になると判断する。そして、判断部４０４は、モニタ１１０のＩＰアドレスのネットワークアドレスが「１９２．１６８．０」であり、ＳＴＢ１２０のＩＰアドレスのネットワークアドレスが「１９２．１６８．１」であり、両者が異なっていることから、これらのＩＰアドレスの設定が正しくないと判断する。
【０１１４】
これに応じて、モニタ１１０の通知部４０６は、複数の通信設定値が正しくないことを通知するためのエラーメッセージが示された画面９００（図９参照）を、モニタ１１０のディスプレイに表示する。その後、モニタ１１０は、複数の通信設定値の再入力を受け付ける。
【０１１５】
図１０は、入力された通信設定値が正しくない部分を通知する方法の一例を示す図である。モニタ１１０の通知部４０６は、入力された複数の通信設定値のうち、判断部４０４によって正しくないと判断された部分をユーザに通知してもよい。
【０１１６】
例えば、通知部４０６は、設定画面に対し、入力された通信設定値が正しくない部分を強調することにより、この正しくない部分をユーザに通知してもよい。
【０１１７】
図１０の例では、図８の例と同様に、ネットマスクとして「２５５．２５５．２５５．０」が入力されているのに対し、モニタ１１０のＩＰアドレスのネットワークアドレスが「１９２．１６８．０」であり、ＳＴＢ１２０のＩＰアドレスのネットワークアドレスが「１９２．１６８．１」であり、両者が異なっていることから、これらのＩＰアドレスの設定が正しくないと判断部４０４によって判断されている。
【０１１８】
そのため、図１０に示す画面６００は、通知部４０６の制御により、入力された通信設定値が正しい部分については着色され、入力された通信設定値が正しくない部分（モニタ１１０のＩＰアドレスにおいて、「０」が入力されている３番目の８ビットの部分、および、ＳＴＢ１２０のＩＰアドレスにおいて、「１」が入力されている３番目の８ビットの部分）については着色されていない。
【０１１９】
これにより、ユーザは、どの部分が正しくないかを容易に把握することができるため、正しい通信設定値を適確かつ迅速に入力することができる。
【０１２０】
なお、図１０の例では、ネットマスクの設定が間違っている可能性もある。そこで、通知部４０６は、ＩＰアドレスの一部を強調表示することに加えて／替えて、ネットマスクの設定を強調表示するようにしてもよい。
【０１２１】
（効果）
以上のように、実施形態１のテレビジョン受像機１００によれば、モニタ１１０から、当該モニタ１１０およびＳＴＢ１２０の各々の通信設定をおこなうことができる。したがって、ユーザは、モニタ１１０およびＳＴＢ１２０のそれぞれのユーザインターフェースを操作する必要がないため、手間や時間をかけることなく、モニタ１１０およびＳＴＢ１２０の各々に対して通信設定をおこなうことができる。特に、ＳＴＢ１２０はユーザインターフェースを有していないが、ＳＴＢ１２０の通信設定をおこなうための装置を別途用意したり操作したりする必要がないため、手間、時間、コストをかけることなく、モニタ１１０およびＳＴＢ１２０の各々に対して通信設定をおこなうことができる。
【０１２２】
また、実施形態１のテレビジョン受像機１００によれば、同じ設定画面から、モニタ１１０およびＳＴＢ１２０の各々の通信設定をおこなうことができるので、ＩＰアドレス同士の比較や、ＩＰアドレスとネットマスクとの比較等の等の、複数の通信設定値同士の比較を容易におこなうことができる。
【０１２３】
また、実施形態１のテレビジョン受像機１００によれば、設定画面上において共通する通信設定値（ネットマスクおよびゲートウェイルータのＩＰアドレス）をそれぞれ一つずつ入力する構成としたので、共通する通信設定値をユーザが複数回入力する手間を省くことができるうえ、共通する通信設定値がモニタ１１０とＳＴＢ１２０とで異なるといった入力ミスも生じない。
【０１２４】
また、実施形態１のテレビジョン受像機１００によれば、入力された一または複数の通信設定値に基づいて、入力された他の通信設定値が正しいか否かを判断し、正しくないと判断された場合、その旨を通知することとしたので、他の通信設定値が誤って入力された場合でも、通信接続の試行をするまでもなく、直ちにその誤りを通知することで、入力された他の通信設定値の修正をユーザに促すことができる。
【０１２５】
（実施形態２）
次に、本発明に係る実施形態２について説明する。この実施形態２のテレビジョン受像機１００は、以下に説明する点以外の点については、実施形態１で説明したテレビジョン受像機１００と同様であるため、説明を省略する。以下、実施形態１で説明したテレビジョン受像機１００との相違点について説明する。
【０１２６】
図１１は、実施形態２に係るモニタ１１０の制御回路２４０が備える通信設定に関する機能の構成を示すブロック図である。図１１に示すように、この実施形態２の制御回路２４０は、実施形態１の制御回路２４０から、さらに試行部４１０を備えた構成となっている。
【０１２７】
（試行部）
試行部４１０は、入力された複数の通信設定値を使用して、ＳＴＢ１２０およびモニタ１１０による通信を試行する。
【０１２８】
例えば、試行部４１０は、ＳＴＢ１２０およびモニタ１１０の各々に対して、入力された通信設定値（ＩＰアドレス、ネットマスク、およびゲートウェイ）を仮設定する。そのとき、試行部４１０は、ＳＴＢ１２０およびモニタ１１０の双方または一方に対して、通信を試行するように指示しておく。
【０１２９】
そして、試行部４１０は、ＳＴＢ１２０およびモニタ１１０の双方または一方から、通信の試行結果を示す信号を受信する。
【０１３０】
例えば、試行部４１０は、複数の通信設定値が入力され、この入力が確定されたタイミングで、上記通信を試行する。または、試行部４１０は、複数の通信設定値が入力され、これら複数の通信設定値が正しいと判断部４０４によって判断されたタイミングで、上記通信を試行してもよい。または、試行部４１０は、ユーザが指定した任意のタイミングで、上記通信を試行してもよい。
【０１３１】
（判断部）
試行部４１０が受信した信号が、試行が正常に終了したことを示すものである場合、判断部４０４は、入力された通信設定値が正しいと判断する。反対に、試行部４１０が受信した信号が、試行が正常に終了していないことを示すものである場合、判断部４０４は、入力された通信設定値が正しくないと判断する。通信が継続しておらず設定値が正しくないと判断部４０４が判断した場合、モニタ１１０は、仮設定した内容を元に戻すなどして通信が継続できるよう復帰処理を行ってもよい。
【０１３２】
（通知部）
このように、試行結果に基づいて、入力された通信設定値が正しくないと判断された場合も、通知部４０６は、実施形態１と同様に、入力された通信設定値が正しくない旨を通知する。
【０１３３】
（効果）
以上のように、実施形態２のテレビジョン受像機１００によれば、ＳＴＢ１２０とモニタ１１０とによる通信の試行結果により、入力されたモニタ１１０の通信設定値、および、入力されたＳＴＢ１２０の通信設定値が正しいか否かをさらに判断することとした。
【０１３４】
これにより、入力された通信設定値が正しいか否かを、実際に通信接続をしなければ判断できない場合であっても、通信の試行により判断することができる。そして、入力された通信設定値が誤っていると判断した場合は、直ちにその誤りを通知することで、入力された通信設定値の修正をユーザに促すことができる。
（実施形態３）
次に、本発明に係る実施形態３について説明する。この実施形態３のテレビジョン受像機１００は、以下に説明する点以外の点については、実施形態１で説明したテレビジョン受像機１００と同様であるため、説明を省略する。以下、実施形態１で説明したテレビジョン受像機１００との相違点について説明する。
【０１３５】
図１２は、実施形態３に係るモニタ１１０の制御回路２４０が備える通信設定に関する機能の構成を示すブロック図である。図１２に示すように、この実施形態３の制御回路２４０は、実施形態１の制御回路２４０から、さらに決定部４３２、自動入力部４３４、および入力制限部４３６を備えた構成となっている。
【０１３６】
（決定部）
決定部４３２は、入力された一または複数の通信設定値に基づいて、他の通信設定項目に入力されるべき通信設定値を決定する。
【０１３７】
（自動入力部）
自動入力部４３４は、上記他の通信設定項目に対して、決定部４３２によって決定された当該他の通信設定項目に入力されるべき通信設定値を自動的に入力する。
【０１３８】
（入力制限部）
入力制限部４３６は、通信設定値が自動的に入力された上記他の通信設定項目に対する手動入力を制限する。入力を制限するとは、入力を不可にする。
【０１３９】
（通信設定値の自動入力例）
図１３、図１４、および図１５は、通信設定値の自動入力例を示す図である。
【０１４０】
例えば、サブネットマスクはＲＦＣ７９１に定められたアドレスクラスに準じて運用される場合が多いことから、図１３に示すように、入力欄６２０に「１９２．１６８．０．１０」と入力された場合、決定部４３２は、クラスＣのアドレスが入力されたと判断し、ネットマスクとして「２５５．２５５．２５５．０」を決定する。そして、このネットマスクが、図１４に示すように、自動入力部４３４により、入力欄６４０へ自動入力される。
【０１４１】
また、決定部４３２は、上記ネットマスクからネットワークアドレスとして「１９２．１６８．０」を決定する。そして、このネットワークアドレスが、図１４に示すように、自動入力部４３４により、入力欄６３０へ自動入力される。
【０１４２】
さらに、入力欄６３０へ自動入力されたネットワークアドレス部は、入力欄６２０へ入力されたディスプレイ部のＩＰアドレスと、入力欄６４０へ自動入力されたネットマスクとによって決定される値である。従って、入力制限部４３６は、この入力欄６３０のネットワークアドレス部がこれ以外の設定値に変更されると正しい設定値として設定できないと判断し、図１５に示すように、この入力欄６３０のネットワークアドレス部を手動入力できないように制限する。
【０１４３】
この状態で、ユーザが入力欄６２０のアドレスを「１９２．１６８．１．１０」に変更した場合、自動入力部４３４は、入力欄６３０へ自動入力されたネットワークアドレスを「１９２．１６８．１」に自動的に変更する。また、ユーザがネットマスクを「２５５．２５５．０．０」に変更した場合、入力制限部４３６は、入力欄６３０の入力制限を「１９２．１６８」の範囲に変更する。
【０１４４】
また、ネットマスクでは「２５５．２５５．２５４．０」の様な指定もできる。入力欄６４０のネットマスクをこのように変更した場合、ＩＰアドレスの２４ビット目がホストアドレスとなるため、制限できる範囲は「１９２．１６８」となり、その次の入力欄は取り得る値が制限され、「０」もしくは「１」のどちらかになるため変更できるようにしておく、この場合の入力制限の方法としては、手動入力可能としておき、入力後に範囲内に収まっているかをチェックしてもよいし、一定の範囲の値から選択させるインターフェースを利用して範囲外の値を入力できないようにしてもよい。
【０１４５】
（通信設定値の他の自動入力例）
自動入力の例として、仮接続を行った時に用いた通信設定値を推奨値として入力しておいてもよい。例えば仮接続を行った時に用いたモニタ１１０のＩＰアドレス、ＳＴＢ１２０のＩＰアドレス、ネットマスクが、それぞれ、「１９２．１６８．１．１０」、「１９２．１６８．１．１１」、「２５５．２５５．２５５．０」であった場合、これらの通信設定値を、対応する入力欄に自動入力しておいてもよい。また、ネットマスクからネットワークアドレスを「１９２．１６８．１」と決定し、このネットワークアドレスを、入力欄６２０および入力欄６３０の各々に設定しておき、入力欄６２０および入力欄６３０の各々のホストアドレスのみユーザに入力してもらう形をとってもよい。
【０１４６】
（通信設定値の他の自動入力例）
さらなる例として、ＬＡＮ１０に他の機器が接続されていないと仮定すると任意のアドレスが設定可能であることから、推奨値としてあらかじめメモリに格納されているＩＰアドレスとネットマスクの組、例えば「１９２．１６８．０．１０」、「１９２．１６８．０．１１」、「２５５．２５５．２５５．０」等、を自動で入力する手段を備えていてもよく。この場合は前述の入力制限を含めて設定済みであり、問題なければユーザはそのまま入力の手間を一切かけずに設定できるようにしておいてもよい。また、あらかじめ入力されるＩＰアドレスを、ネットワークアドレス部までとするなど、多くの場合に変更しなくてもよい部分のみにしておき、残りの部分をユーザに入力してもらうという形をとることもできる。
【０１４７】
（効果）
以上のように、実施形態３のテレビジョン受像機１００によれば、入力された一または複数の通信設定値に基づいて、他の通信設定項目に入力されるべき通信設定値を決定し、他の通信設定項目に対して、決定された当該他の通信設定項目に入力されるべき通信設定値を自動的に入力することとした。
【０１４８】
これにより、ユーザの手間や入力ミスの発生を大幅に軽減することができる。
【０１４９】
また、実施形態３のテレビジョン受像機１００によれば、通信設定値が自動的に入力された他の通信設定項目に対する手動入力を制限することとした。
【０１５０】
これにより、自動的に入力された通信設定値を誤って書き換えてしまうといった、ユーザによる入力ミスを確実に無くすことができる。また、ユーザは、手動で入力すればよい通信設定項目を容易に判断することができる。
（プログラム、記憶媒体）
実施形態で説明したテレビジョン受像機１００の各機能は、集積回路（ＩＣチップ）上に形成された論理回路によってハードウェア的に実現してもよいし、ＣＰＵ（Central Processing Unit）を用いてソフトウェア的に実現してもよい。
【０１５１】
例えば、テレビジョン受像機１００は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、テレビジョン受像機１００の各機能を実現することができる。
【０１５２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類等を用いることができる。
【０１５３】
なお、上記プログラムは、通信ネットワークを介してテレビジョン受像機１００に供給されてもよい。この通信ネットワークは、少なくとも上記プログラムをテレビジョン受像機１００に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１５４】
また、上記プログラムをテレビジョン受像機１００に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０１５５】
（補足説明）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５６】
（本発明の適用対象）
各実施形態では、本発明をテレビジョン受像機に適用した例を説明したが、少なくとも複数の通信機器を備えるものであれば、これ以外の装置やシステムにも、本発明を適用することができる。例えば、テレビ、チューナ、モニタ、レコーダ、ＰＣ、携帯端末、サーバ、プリンタ、スキャナ、家電製品、監視カメラ等を通信機器として備える通信システムや、アンプ、スピーカ等を通信機器として備えるオーディオシステム等にも、本発明を適用することができる。
【０１５７】
また、各実施形態では、ＬＡＮに対する通信設定をおこなう例を説明したが、これ以外の通信ネットワークに対する通信設定をおこなう場合にも、本発明を適用することができる。
【０１５８】
また、各実施形態では、ＩＰアドレス、ネットマスク、およびゲートウェイサーバの通信設定をおこなう例を説明したが、これ以外の通信設定項目に対する通信設定をおこなう場合にも、本発明を適用することができる。
【０１５９】
また、各実施形態では、テレビジョン受像機が備える２つの通信機器の通信設定をおこなう例を説明したが、３つ以上の通信機器の通信設定をおこなう場合にも、本発明を適用することができる。
【０１６０】
また、各実施形態では、互いに通信をおこなう複数の通信機器のうち、通信設定可能な通信機器を１つだけ備える例を説明したが、通信設定可能な通信機器を複数備える構成とすることもできる。この場合、ユーザは、通信設定可能な通信機器のうちのいずれかから、各通信機器の通信設定をおこなえばよい。
【０１６１】
また、各実施形態では、入力された通信設定値が誤っていると判断した場合、エラーメッセージを表示することによりその旨を通知することとしたが、さらに警告音を発するなど、他の通知方法を用いて、その旨を通知するようにしてもよい。
【０１６２】
また、実施形態３では、通信設定項目に設定すべき通信設定値を、その通信設定項目に自動的に入力する例を説明したが、その通信設定値を自動的に入力せずに画面に表示し、その通信設定値を入力するように、ユーザに促すようにしてもよい。
【産業上の利用可能性】
【０１６３】
本発明は、他の通信機器と互いに通信することが可能な通信機器、このような通信機器を備えるテレビジョン受像機、このような通信機器を含む複数の通信機器を有する通信システム、このような通信機器を含む複数の通信機器に対する通信設定をおこなうための通信設定方法、コンピュータをこのような通信機器として機能させるためのプログラム、このようなプログラムをコンピュータ読み取り可能に記録することが可能な記録媒体等に適用することができる。
【符号の説明】
【０１６４】
１０    ＬＡＮ（通信ネットワーク）
１００  テレビジョン受像機
１１０  モニタ（通信機器）
１２０  ＳＴＢ（他の通信機器）
２１９  ディスプレイ
２５０  リモコン
２４０  制御回路
４０２  入力受付部（入力受付手段）
４０４  判断部（判断手段）
４０６  通知部（通知手段）
４０８  設定部（設定手段）
４１０  試行部（試行手段）
４２０  自動取得部
４３２  決定部（決定手段）
４３４  自動入力部（自動入力手段）
４３６  入力制限部（入力制限手段）
【要約】
【課題】効率的かつ適確に、複数の通信機器に対して通信設定をおこなうこと。
【解決手段】モニタ１１０は、一の設定画面において、ＳＴＢ１２０およびモニタ１１０の各々の通信設定値の入力を受け付ける入力受付部４０２と、ＳＴＢ１２０およびモニタ１１０の各々に対して、入力された複数の通信設定値のうちの、対応する通信設定値を設定する設定部４０８とを備える。
【選択図】図４【図１】
0005112549.tif 000002
【図２】
0005112549.tif 000003
【図３】
0005112549.tif 000004
【図４】
0005112549.tif 000005
【図５】
0005112549.tif 000006
【図６】
0005112549.tif 000007
【図７】
0005112549.tif 000008
【図８】
0005112549.tif 000009
【図９】
0005112549.tif 000010
【図１０】
0005112549.tif 000011
【図１１】
0005112549.tif 000012
【図１２】
0005112549.tif 000013
【図１３】
0005112549.tif 000014
【図１４】
0005112549.tif 000015
【図１５】
0005112549.tif 000016